(57)【要約】【課題】、ドアが横方向に開閉するドアを備えるドラム洗濯機において、洗濯物の出し入れの便宜性を向上させ、ドアの開閉機構等のドラム洗濯機の構成要素を大型化、重量化することなく、洗濯物を置くための構成を備えたドラム洗濯機を提供する。【解決手段】  洗濯物を置くための支持部材を備えるとともに、ドラム洗濯機の前面パネルに凹部からなる収納部分を設け、支持部材を収納部内に収納自在とする構成とする。この構成によって、洗濯物をドラムに出し入れするときには、支持部材を収納部内から前面パネルの前方位置に取り出して、支持部材の支持面を洗濯物置き台として使用する。従来構成のようにドア開閉機構と分離した構成であるため、ドア開閉機構の構造が大型化、重量化の問題を解消する。【選択図】図１
2013027539.tif 000002
【特許請求の範囲】
【請求項１】
本体枠組みを形成するフレームと、
前記フレームの前面に取り付けられた前面パネルと、
前記フレーム内に保持された外槽と、
前記外槽内に回転自在に軸支されたドラムと、
前記前面パネルに形成され、前記ドラムと連通する開口部と、
前記前面パネルに対して横方向に回転して前記開口部を開閉するドアとを備えるドラム洗濯機において、
支持面を有する支持部材、前記支持部材を移動自在とする移動機構、および前記支持部材を所定位置で保持する保持機構とを有する支持部と、前記支持部材を前記前面パネル内に収納する収納部とを、前記前面パネルの開口部の下方位置に備え、
前記移動機構は、前記支持部材を前記収納部内と前面パネルの前方位置との間で移動自在とし、
前記保持機構は、前記支持部材が前記収納部内にあるときは当該支持部材を収納部内に保持し、前記支持部材が前記前面パネルの前方位置にあるときは前記支持面を上方に保持することを特徴とする、ドラム洗濯機。
【請求項２】
前記支持部材は２本の支持アームで構成され、
前記各支持アームは、前記移動機構が備える回転機構によってそれぞれの一方の端部が前記収納部の内部に軸支されることを特徴とする、請求項１に記載のドラム洗濯機。
【請求項３】
前記支持部材はＵ字状の１本の支持アームまたは平板状の１枚の支持パネルで構成され、
前記支持アームまたは前記支持パネルは、前記移動機構が備える回転機構によって両端部が前記収納部の内部に軸支されることを特徴とする、請求項１に記載のドラム洗濯機。
【請求項４】
前記支持部材はＵ字状の１本の支持アームまたは平板状の１枚の支持パネルで構成され、
前記支持アームまたは前記支持パネルは、前記移動機構が備えるガイド機構によって両側部が前記収納部の内部にスライド支持されることを特徴とする、請求項１に記載のドラム洗濯機。
【請求項５】
前記支持部材は前面パネルの下方に位置する下部パネルで構成され、
前記下部パネルは、前記移動機構が備える回転機構によって両側部が前記収納部の内部に軸支、または前記移動機構が備えるガイド機構によって両側部が前記収納部の内部にスライド支持されることを特徴とする、請求項１に記載のドラム洗濯機。
【発明の詳細な説明】
【技術分野】
【０００１】
本発明は、ドラム洗濯機に関し、特に、横方向に回転してドラムと連通する開口部を開閉するドアを備えたドラム洗濯機に関する。
【背景技術】
【０００２】
水平方向に支持したドラムを回転させるドラム洗濯機において、ドラムと連通する開口部とこの開口部を開閉するドアとを前面パネルに設ける構成が知られている。ドアの開閉機構として、開口部の側部に設けたヒンジ機構によってドアを横方向に開閉する構成が知られている。
【０００３】
ドラムに洗濯物を出し入れする開口部は床面から高い位置に設けられているため、使用者は、ドラムに対して洗濯機を出し入れする際に、床面に置いた洗濯物容器と開口部との間で洗濯物を移動させる動作を繰り返す必要があり、洗濯物の出し入れに問題があった。
【０００４】
このような問題に対して、ドアを上下方向に開閉する上下動ドアとし、４-リンク機構を用いてドアを上下方向に移動して開閉させると共に、ドアの開放時にドア自体を洗濯物置き台とする構成とすることによって、洗濯物の出し入れの便宜性を向上させる構成が提案されている（特許文献１，２参照）。
【先行技術文献】
【特許文献】
【０００５】
【特許文献１】特開２００６−１１６３２１号公報
【特許文献２】特開２００６−１１６３２３号公報
【発明の概要】
【発明が解決しようとする課題】
【０００６】
従来提案されているドアを洗濯物置き台とする構成は、上下方向に開閉する上下動ドアであることが必要であり、ドアが横方向に開閉する構成には適用できないという問題がある。  
【０００７】
しかしながら、ドラム洗濯機のドアは、開口部からの水漏れを防ぐ必要があり、また、ドラム内の洗濯物の状態を観察する必要があるために、ドアにはガラス窓が設けられている。そのため、ドアは単に蓋をするための構成と比較して重量が増加している。さらに、ドアを洗濯物の洗濯物置き台として用いる場合には、ドアを開閉する機構はドア自体の重量に加えて洗濯物の重量が加算された重さに耐える構成とする必要があり、ドア開閉機構の構造が大型化、重量化するという問題がある。
【０００８】
そこで、本発明は前記した従来の問題点を解決し、ドアが横方向に開閉するドアを備えるドラム洗濯機において、洗濯物の出し入れの便宜性を向上させることを目的とする。
【０００９】
また、ドアの開閉機構等のドラム洗濯機の構成要素を大型化、重量化することなく、洗濯物を置くための構成を備えたドラム洗濯機を提供することを目的とする。
【課題を解決するための手段】
【００１０】
本発明は、洗濯物を置くための支持部材を備えるとともに、ドラム洗濯機の前面パネルに凹部からなる収納部分を設け、支持部材を収納部内に収納自在とする構成とする。この構成によって、洗濯物をドラムに出し入れするときには、支持部材を収納部内から前面パネルの前方位置に取り出して、支持部材の支持面を洗濯物置き台として使用する。
【００１１】
本発明の構成は、従来構成のようにドア開閉機構と分離した構成であるため、ドア開閉機構の構造が大型化、重量化するという問題を解消することができる。
【００１２】
また、洗濯物の出し入れを行わないときには、支持部材は収納部内に収納することができる。支持部材は収納部内に収納され、支持部材が前面パネルから突出することはない。そのため、支持部材が前面パネルから突出して、スペースを狭めるといった不都合を防ぐことができる。
【００１３】
本発明のドラム洗濯機は、本体枠組みを形成するフレームと、このフレームの前面に取り付けられた前面パネルと、フレーム内に保持された外槽と、外槽内に回転自在に軸支されたドラムと、前面パネルに形成され、ドラムと連通する開口部と、前面パネルに対して横方向に回転して前記開口部を開閉するドアとを備えるドラム洗濯機であり、洗濯物を支持するための構成として、支持面を有する支持部材、支持部材を移動自在とする移動機構、および支持部材を所定位置で保持する保持機構とを有する支持部と、支持部材を前面パネル内に収納する収納部とを有する。支持部と収納部とは、前面パネルに設けられた開口部よりも下方位置に備える。
【００１４】
本発明が備える移動機構は、支持部材を収納部内と前面パネルの前方位置との間で移動自在とする。ドラムに対して洗濯物の出し入れを行う際には、支持部材を前面パネルの前方位置に移動させる。移動した支持部材の支持面は、洗濯かご等の収納容器を支持し、出し入れ時に洗濯物を支持する。ドラムに対して洗濯物の出し入れを行わない場合には、支持部材を収納部内に移動して収納する。収納部内に収納された支持部材は、前面パネルと同じ面あるいは前面パネルの内側となって前面パネルから突出することがない。これによって、支持部材が使用者の作業や動作に支障をきたすことがないようにすることができる。
【００１５】
本発明が備える保持機構は、支持部材が収納部内にあるときは支持部材を収納部内に保持し、支持部材が前面パネルの前方位置にあるときは支持面を上方に保持する。
【００１６】
保持機構は、収納部内において支持部材を保持することによって、不使用時に支持部材が前面パネルの前面に突出することを防ぐことができる。また、保持機構は、支持部材が前面パネルの前方位置にあるときに支持面を上方に保持することによって、洗濯物を支持面上に安定して保持することができる。
【００１７】
本発明のドラム洗濯機が備える支持部材および移動機構は種々の形態とすることができる。
【００１８】
本発明の一形態は、支持部材を２本の支持アームで構成し、移動機構を回転機構で構成する。２本の各支持アームは、それぞれの一方の端部を収納部の内部に軸支され、回転機構による回転移動によって収納部と前面パネルとの間で開閉する。
【００１９】
本発明の他の形態は、支持部材をＵ字状の１本の支持アームまたは平板状の１枚の支持パネルで構成し、移動機構を回転機構で構成する。支持アームまたは支持パネルは、両端部が収納部の内部に軸支され、回転機構による回転移動によって収納部と前面パネルとの間で開閉する。
【００２０】
本発明の他の形態は、支持部材をＵ字状の１本の支持アームまたは平板状の１枚の支持パネルで構成し、移動機構をガイド機構で構成する。支持アームまたは支持パネルは、両側部が収納部の内部にスライド支持され、ガイド機構による直線移動によって収納部と前面パネルとの間で出し入れする。
【００２１】
本発明の他の形態は、支持部材を前面パネルの下方に位置する下部パネルで構成し、移動機構を回転機構またはガイド機構で構成する。下部パネルは、両側部が収納部の内部に軸支され、回転機構による回転移動によって収納部と前面パネルとの間で開閉する。あるいは、下部パネルは、両側部が前記収納部の内部にスライド支持され、ガイド機構による直線移動によって収納部と前面パネルとの間で出し入れする。
【００２２】
移動機構の一形態である回転機構は、例えば、支持アーム、支持パネル、下部パネルを軸支する回転軸と、この回転軸を一方向に付勢する付勢機構とで構成することができる。付勢機構は、例えばバネ機構で構成することができる。付勢機構は、支持アームを例えば収納部の内部に向けて付勢し、支持アームを常時において収納部内に収納する。
【００２３】
移動機構は、２本の支持アームをリンク動作させるリンク機構を備えることができる。リンク機構は、スライドガイドをスライド移動させるガイド溝と、スライドガイドと支持アーク間を連接するリンクアームと、２つのスライドガイドを逆方向に移動させる機構とを備え、２本の支持アームが連動して開閉動作するようにする。
【００２４】
移動機構の一形態であるガイド機構は、例えばガイド溝とこのガイド溝内でスライド移動するガイド部材とで構成することができる。ガイド機構の一形態は、支持アームあるいは支持パネルの側部にガイド溝を設け、ガイド部材をドラム洗濯機のフレーム側に固定する形態、あるいは、支持アームあるいは支持パネルの側部にガイド部材を設け、ガイド溝をドラム洗濯機のフレーム側に固定する形態とすることができる。
【００２５】
保持機構は、ストッパ機構又はクラッチ機構とすることができる。ストッパ機構は、支持部材をドラム洗濯機のフレーム側の部材に対して一時的に保持させる機構であり、例えば、支持部材に設けた凹部と、フレーム側部材に設けた伸縮自在のピン部とで構成することができる。支持部材は、凹部にピン部の伸縮部分を位置合わせすることによって所定位置に保持し、収納部内あるいは前面パネルの前方位置に保持させることができる。
【００２６】
クラッチ機構は、移動機構の動作を一時的に保持し、支持部材を収納部内あるいは前面パネルの前方位置に保持させることができる。
【００２７】
本願発明の態様によれば、洗濯物を支持する支持部材は、不使用時には前面パネルに設けた収納部の凹状のくぼみ内に納めることができ、保持機構によって収納部内に保持することができるため、前面パネルの前方に突出することを防ぐことができ、使用者の動きに支障をきたすことがない。
【発明の効果】
【００２８】
以上説明したように、本発明のドラム洗濯機によれば、ドアが横方向に開閉するドアを備えるドラム洗濯機において、洗濯物の出し入れの便宜性を向上させることができる。  
【００２９】
また、本発明によれば、ドアの開閉機構等のドラム洗濯機の構成要素を大型化、重量化することなく、洗濯物を置くための構成を備えたドラム洗濯機を提供することができる。
【図面の簡単な説明】
【００３０】
【図１】本願発明のドラム洗濯機の第１の構成例を説明するための図である。
【図２】本願発明のドラム洗濯機の第１の構成例を説明するための図である。
【図３】本願発明のドラム洗濯機の第１の構成例を説明するための図である。
【図４】本願発明のドラム洗濯機の第２の構成例を説明するための図である。
【図５】本願発明のドラム洗濯機の第２の構成例を説明するための図である。
【図６】本願発明のドラム洗濯機の第３の構成例を説明するための図である。
【図７】本願発明のドラム洗濯機の第４の構成例を説明するための図である。
【図８】本願発明のドラム洗濯機の第５の構成例を説明するための図である。
【図９】本願発明のドラム洗濯機の第５の構成例を説明するための図である。
【図１０】本願発明のドラム洗濯機の第６の構成例を説明するための図である。
【図１１】本願発明のドラム洗濯機の第６の構成例を説明するための図である。
【図１２】本願発明のドラム洗濯機の第７の構成例を説明するための図である。
【図１３】本願発明のドラム洗濯機の第７の構成例を説明するための図である。
【発明を実施するための形態】
【００３１】
以下、本発明の実施の形態について、図を参照しながら詳細に説明する。以下、本発明のドラム洗濯機の構成例について、図１〜図１３を用いて説明する。
【００３２】
図１〜３は本願発明のドラム洗濯機の第１の構成例を説明するための図であり、図４，５は本願発明のドラム洗濯機の第２の構成例を説明するための図であり、図６は本願発明のドラム洗濯機の第３の構成例を説明するための図であり、図７は本願発明のドラム洗濯機の第４の構成例を説明するための図であり、図８，９は本願発明のドラム洗濯機の第５の構成例を説明するための図であり、図１０，１１は本願発明のドラム洗濯機の第６の構成例を説明するための図であり、図１２，１３は本願発明のドラム洗濯機の第７の構成例を説明するための図である。
【００３３】
［本願発明の第１の構成例］
はじめに、本願発明のドラム洗濯機の第１の構成例について説明する。図１，２は本願発明の第１の構成例を説明するための斜視図であり、図３は移動機構および保持機構の一例を説明するための図である。
【００３４】
図１において、本願発明のドラム洗濯機１は、本体枠組みを形成するフレーム２と、フレーム２に取り付けられたパネル３と、フレーム２内に保持された外槽７と、外槽７内に回転自在に軸支されたドラム６と、パネル３の前面パネル３ａに形成され、ドラム６と連通する開口部５と、前面パネル３ａに対して横方向に回転して開口部５を開閉するドア４とを備える。パネル３は、フレーム２の前面に取り付けられた前面パネル３ａの他に、表示パネル３ｂ、操作パネル３ｃを設けることができる。表示パネル３ｂは、洗濯動作の状況等の各種情報を表示するパネルであり、操作パネル３ｃは、洗濯動作に係わる各種操作を選択し指定するためのパネルである。なお、表示パネル３ｂ，操作パネル３ｃは、ドラム洗濯機の前面に限らず、上面等に設けても良い。
【００３５】
ドア４は、ドアフレーム４ａと、ドアフレーム４ａが備える中央の開口部分にはめ込まれたドア窓４ｂと、ドアフレーム４ａを開閉するヒンジ機構４ｃとを備える。ドア４は、開口部５を開閉する。
【００３６】
本願発明のドラム洗濯機１は、洗濯物を保持する構成として支持部１０と収納部９とを前面パネル３ａの開口部５の下方位置に備える。
【００３７】
支持部１０は、支持面を有する支持部材と、支持部材を移動自在とする移動機構と、支持部材を所定位置で保持する保持機構とを備える。
【００３８】
図１、２に示す支持部１０Ａは、支持部材である支持アーム１０ａと、支持アーム１０ａを前面パネル３ａ内に収納する収納部９Ａとを、前面パネル３ａの開口部５の下方位置に備える。
【００３９】
収納部９Ａは、前面パネル３ａに、支持アーム１０ａを収納するに十分な大きさの凹部を形成することで構成することができる。支持アーム１０ａは２本のアーム材から構成され、このアーム材の各端部を収納部９Ａの凹部内に、回転機構１２からなる移動機構によって回転自在に軸支する。回転機構１２は、支持アーム１０ａを収納部９Ａ内と前面パネル３ａの前方位置との間で移動自在とする。
【００４０】
また、保持機構は、支持アーム１０ａが収納部９Ａ内にあるときは支持アーム１０ａを収納部９Ａ内に保持し、支持アーム１０ａが前面パネル３ａの前方位置にあるときは支持面１０ｂを上方に保持する。
【００４１】
また、本願発明のドラム洗濯機１は、前面パネル３ａの下方位置に下部パネル１０oを設け、この下部パネルを支持部１０とすることもできる。
【００４２】
図１は支持アーム１０ａを収納部９Ａ内に収納した状態を示し、図２は支持アーム１０ａを前面パネル３ａの前方位置に移動させ、支持面１０ｂ上に洗濯かご８を支持した状態を示している。
【００４３】
図３は、支持部１０Ａ、移動機構１１，および保持機構１７を示している。支持部１０Ａは２本の支持アーム１０ａを備える。
【００４４】
移動機構１１は、一構成として、各支持アーム１０ａを回転させる回転機構１２とすることができる。支持アーム１０ａの一端に設けた回転軸１２ａによって回転自在に軸支する。また、回転軸１２ａは付勢機構１２ｂによって一方の回転方向に付勢する。付勢機構１２ｂは、例えばコイルバネで構成することができる。支持アーム１０ａは、付勢機構１２ｂによって収納部９側あるいは前面パネル３ａの前方方向に付勢される。
【００４５】
保持機構１７は、ストッパ機構１８、クラッチ機構１９、あるいはストッパ機構２０を用いることができる。図３（ａ）はストッパ機構１８の例を示し、図３（ｂ）はクラッチ機構１９の例を示している。
【００４６】
ストッパ機構１８は、支持アーム１０ａに設けた凹部１８ｂと、ピン部１８ａとによって構成することができ、ピン部１８ａは先端部をバネ等によって伸縮自在とし、ピン部１８ａの先端部を凹部１８ｂ内にはめ込むことによって、支持アーム１０ａを所定の保持位置に保持することができる。保持位置は、ピン部１８ａの設置位置で定めることができる。また、凹部１８ｂは、支持アーム１０ａの支持面１０ｂに限らず、支持アーム１０ａの任意の面の任意の位置に設けることができる。
【００４７】
クラッチ機構１９は、回転軸１２ａと同軸に設けることができ、付勢機構１２ｂによる付勢を所定の角度位置で固定することによって、支持アーム１０ａを所定の保持位置に保持する。
【００４８】
第１の構成例において、移動機構１１として回転機構１２を用い、保持機構１７としてストッパ機構１８あるいはクラッチ機構１９を用いることによって、支持アーム１０ａを収納部９内と前面パネル３ａの前方位置との間で開閉させることができると共に、収納部９内および前面パネル３ａの前方位置の一時的に保持させることができる。
【００４９】
ストッパ機構１８を用いる場合には、支持アーム１０ａを収納部９内から前面パネル３ａの前方位置に移動させる際には、手動によって支持アーム１０ａを前面パネル３ａの前方位置に向けて引っ張ることによってピン部１８ａを凹部１８ｂから離し、支持アーム１０ａを付勢機構１２ｂの付勢力によって前面パネル３ａの前方位置に移動させる。なお、この構成では、付勢機構１２ｂは支持アーム１０ａを前面パネル３ａの前方位置に移動させる方向に付勢するものとする。
【００５０】
一方、支持アーム１０ａを前面パネル３ａの前方位置から収納部９内に移動して収納する際には、手動によって付勢機構１２ｂの付勢力に抗して、支持アーム１０ａを収納部９に向けて押すことによって凹部１８ｂをピン部１８ａに位置合わせし、ピン部１８ａの先端を凹部１８ｂ内にはめ込ませ、支持アーム１０ａを収納部９内に収納する。
【００５１】
また、付勢機構１２ｂが支持アーム１０ａを収納部９内に移動させる方向に付勢する場合には、支持アーム１０ａを収納部９内から前面パネル３ａの前方位置に移動させる際には、手動によって支持アーム１０ａを前面パネル３ａの前方位置に向けて引っ張り、ピン部１７ａを凹部１７ｂから離すと共に、支持アーム１０ａを付勢機構１２ｂの付勢力に抗して前面パネル３ａの前方位置に移動させ、支持アーム１０ａを突出させた位置で保持するために設けた他のピン部１８ａおよび他の凹部１８ｂによって、前面パネル３ａの前方位置に保持する。
【００５２】
一方、支持アーム１０ａを前面パネル３ａの前方位置から収納部９内に移動して収納する際には、手動によってピン部１８ａを凹部１８ｂから外し、付勢機構１２ｂの付勢力によって支持アーム１０ａを収納部９内に収納する。
【００５３】
以下、本願発明の第２の構成例〜第７の構成例について説明する。以下では、第１の構成例と共通する移動機構および保持機構については説明を省略する。
【００５４】
［本願発明の第２の構成例］
次に、本願発明のドラム洗濯機の第２の構成例について説明する。図４は本願発明の第２の構成例を説明するための斜視図であり、図５はリンク機構の一例を説明するための図である。
【００５５】
第２の構成例は、前記した第１の構成例において、支持部１０Ｂは２本の支持アームをリンク機構１３で連接し、一方の支持アーム１０c1の開閉動作によって、他方の支持アーム１０c2を開閉動作させる構成である。リンク機構１３は、リンクアーム１３ａの一端を一方の支持アーム１０ｃに回転自在に取り付け、他端をガイド溝１３ｂにスライド自在に設けられたガイド１３ｃに取り付け、両ガイド１３ｃ間をワイヤ機構等で連結する構成とすることができ、両ガイド１３ｃを対称的に駆動することによって、両支持アーム１０c1，１０c2を開閉動作させる。なお、リンク機構は上記構成に限らず任意の構成とすることができる。なお、１０ｄは支持アーム１０ｃが備える支持面を示している。
【００５６】
第２の構成例によれば、２本の支持アーム１０ｃ（１０c1，１０c2）は、一方の支持アームの動作によって他方の支持アームを動作させることができ、収納部９Ｂと前面パネル３ａの前方位置との間で移動させることができる。
【００５７】
［本願発明の第３の構成例］
次に、本願発明のドラム洗濯機の第３の構成例について説明する。図６は本願発明の第３の構成例を説明するための斜視図である。
【００５８】
第３の構成例は、前記した第１の構成例において、前記２本の支持アーム１０ａに代えてＵ字形状の支持アーム１０ｅによって支持部１０Ｃを構成する。収納部９Ｃは、前面パネル３ａにＵ字形状の支持アーム１０ｅの形状に合わせ凹部を形成する。支持部１０Ｃは、Ｕ字形状の支持アーム１０ｅの両端を収納部９Ｃ内において回転軸で軸支することで回転自在に支持する。Ｕ字形状の支持アーム１０ｅは、収納部９Ｃ内および前面パネル３ａの前方位置において保持される。
【００５９】
支持アーム１０ｅは、前面パネル３ａの前方位置に保持された状態において支持面１０ｆを上方に向け、この支持面１０ｆ上に洗濯物を支持する。
【００６０】
［本願発明の第４の構成例］
次に、本願発明のドラム洗濯機の第４の構成例について説明する。図７は本願発明の第４の構成例を説明するための斜視図である。
【００６１】
第４の構成例は、前記した第１の構成例において、前記２本の支持アーム１０ａに代えて一枚の支持パネル１０ｇによって支持部１０Ｄを構成する。収納部９Ｄは、前面パネル３ａに支持パネル１０ｇの形状に合わせ凹部を形成する。支持部１０Ｄは、支持パネル１０ｇの下部の両端を収納部９Ｄ内において回転軸で軸支することで回転自在に支持する。支持パネル１０ｇは、収納部９Ｄ内および前面パネル３ａの前方位置において保持される。
【００６２】
支持パネル１０ｇは、前面パネル３ａの前方位置に保持された状態において支持面１０ｈを上方に向け、この支持面１０ｈ上に洗濯物を支持する。
【００６３】
［本願発明の第５の構成例］
次に、本願発明のドラム洗濯機の第５の構成例について説明する。図８は本願発明の第５の構成例を説明するための斜視図であり、図９は移動機構を構成するガイド機構を説明するための説明図である。
【００６４】
第５の構成例は、前記した第３の構成例と同様に、Ｕ字状の支持アーム１０ｉから成る支持部１０Ｅを備えるが、移動機構の点で異なる。第３の構成例では、Ｕ字状の支持アーム１０ｅを回転機構によって回転自在に軸支する移動機構を備えるのに対して、第５の構成例では、ガイド機構１４によってＵ字状の支持アーム１０ｅをスライド支持して直線方向に移動させる移動機構を備える。
【００６５】
収納部９Ｅは、水平方向に直線移動するＵ字状の支持アーム１０ｅの移動方向に合わせて、前面パネル３ａに支持アーム１０ｅを水平状態で挿入して収納するための凹部を形成する。
【００６６】
図９において、Ｕ字状の支持アーム１０ｉは、前方アーム１０jと側方アーム１０ｋとを備える。ガイド機構１４は、Ｕ字状の支持アーム１０ｉの側方アーム１０ｋに形成したガイド溝１４ａとドラム洗濯機のフレーム側に固定して設けたガイド部材１４ｂとによって構成することができる。なお、ガイド機構１４は、Ｕ字状の支持アーム１０ｉの側方アーム１０ｋにガイド部材を形成し、ドラム洗濯機のフレーム側に固定して部材にガイド溝を設けた構成としてもよい。
【００６７】
Ｕ字状の支持アーム１０ｉは、ガイド機構１４が備えるガイド溝１４ａとガイド部材１４ｂとが相対的にスライド移動することによって、収納部９Ｅ内に収納あるいは取り出される。Ｕ字状の支持アーム１０ｉは、収納部９Ｅ内から取り出すことによって前面パネル３ａの前方位置において保持される。
【００６８】
Ｕ字状の支持アーム１０ｉは、前面パネル３ａの前方位置に保持された状態において支持面１０ｌを上方に向け、この支持面１０ｌ上に洗濯物を支持する。
【００６９】
［本願発明の第６の構成例］
次に、本願発明のドラム洗濯機の第６の構成例について説明する。図１０は本願発明の第６の構成例を説明するための斜視図であり、図１１は移動機構を構成するガイド機構を説明するための説明図である。
【００７０】
第６の構成例は、前記した第５の構成例と同様に、支持部１０Ｆをガイド機構１５によってスライド支持して直線方向に移動させる移動機構を備える。
【００７１】
支持部１０Ｆは、前面パネル３ａの下方部分を分離してなる下部パネル１０ｍによって構成され、ガイド機構１５によってスライド支持して直線方向に移動させる。
【００７２】
９Ｆは、前面パネル３ａを分離してなる下部パネル１０ｍの水平方向に直線移動の移動方向に合わせて、下部パネル１０ｍを水平状態で挿入して収納するための凹部を形成する。
【００７３】
図１１において、下部パネル１０ｍは当該下部パネル１０ｍをスライド支持し水平方向に移動させるガイド機構１５を備える。ガイド機構１５は、下部パネル１０ｍに形成したガイド溝１５ａとドラム洗濯機のフレーム側に固定して設けたガイド部材１５ｂとによって構成することができる。なお、ガイド機構１５は、下部パネル１０ｍにガイド部材を形成し、ドラム洗濯機のフレーム側に固定して部材にガイド溝を設けた構成としてもよい。
【００７４】
下部パネル１０ｍは、ガイド機構１５が備えるガイド溝１５ａとガイド部材１５ｂとが相対的にスライド移動することによって、収納部９Ｆ内に収納あるいは取り出される。下部パネル１０ｍは、収納部９Ｆから取り出すことによって前面パネル３ａの前方位置において保持される。
【００７５】
下部パネル１０ｍは、前面パネル３ａの前方位置に保持された状態において支持面１０ｎを上方に向け、この支持面１０ｎ上に洗濯物を支持する。
【００７６】
［本願発明の第７の構成例］
次に、本願発明のドラム洗濯機の第７の構成例について説明する。図１２は本願発明の第７の構成例を説明するための斜視図であり、図１３は移動機構を構成する回転機構を説明するための説明図である。
【００７７】
第７の構成例は、前記した第６の構成例と同様に、前面パネル３ａの下方を分離してなる下部パネル１０ｏから成る支持部１０Ｇを備えるが、移動機構の点で異なる。第６の構成例では、下部パネル１０ｍをガイド機構よってスライド移動させる移動機構を備えるのに対して、第７の構成例では、回転機構１６によって下部パネル１０ｍを収納部と前面パネルの前方位置との間で回転させる移動機構を備える。
【００７８】
支持部１０Ｇは、前面パネル３ａの下方部分を分離してなる下部パネル１０ｏによって構成され、回転機構１６が備える回転軸１６ａによって回転自在に軸支する。
【００７９】
収納部９Ｇは、前面パネル３ａを分離してなる下部パネル１０ｏの水平方向に直線移動の移動方向に合わせて、下部パネル１０ｏを水平状態で挿入して収納するための凹部を形成する。
【００８０】
図１３において、下部パネル１０ｏは当該下部パネル１０ｏを回転自在に軸支する回転機構１６を備える。回転機構１６は、下部パネル１０ｏに設けた回転軸１６ａによって構成することができる。下部パネル１０ｏは、回転機構１６が備える回転軸１６ａによって軸支され、収納部９Ｇ内に収納あるいは取り出される。下部パネル１０ｏは、収納部９Ｇから取り出すことによって前面パネル３ａの前方位置において保持される。
【００８１】
図１３において、第７の構成例は、保持機構１７としてストッパ機構２０を備える。ストッパ機構２０は、下部パネル１０ｏの一部を突出させた形状によって形成することができ、下部パネル１０ｏが回転して支持面１０ｐが前面パネル３ａの前方位置において上方を向いた際に、突出部分が前面パネル３ａの内側の当接することで下部パネル１０ｏを保持する。
【００８２】
下部パネル１０oは、前面パネル３ａの前方位置に保持された状態において支持面１０ｐを上方に向け、この支持面１０ｐ上に洗濯物を支持する。
【００８３】
なお、本発明は前記各実施の形態に限定されるものではない。本発明の趣旨に基づいて種々変形することが可能であり、これらを本発明の範囲から排除するものではない。
【産業上の利用可能性】
【００８４】
本発明のドラム洗濯機が備える支持部の機構は、ドラム洗濯機に限らず、ドラム乾燥機に適用することができる。
【符号の説明】
【００８５】
１    ドラム洗濯機
２    フレーム
３    パネル
３ａ    前面パネル
３ｂ    表示パネル
３ｃ    操作パネル
４    ドア
４ａ    ドアフレーム
４ｂ    ドア窓
４ｃ    ヒンジ機構
５    開口部
６    ドラム
７    外槽
９，９Ａ〜９Ｇ    収納部
１０，１０Ａ〜１０Ｇ    支持部
１０ａ    支持アーム
１０ｂ    支持面
１０ｃ    支持アーム
１０c1，１０c2    支持アーム
１０ｄ        支持面
１０ｅ    支持アーム
１０ｆ    支持面
１０ｇ    支持パネル
１０ｈ    支持面
１０ｉ    支持アーム
１０j         前方アーム
１０ｋ    側方アーム
１０ｌ    支持面
１０ｍ    下部パネル
１０ｎ    支持面
１０ｏ    下部パネル
１０ｐ    支持面
１１    移動機構
１２    回転機構
１２ａ    回転軸
１２ｂ    付勢機構
１３    リンク機構
１３ａ    リンクアーム
１３ｂ    ガイド溝
１３ｃ    ガイド
１４    ガイド機構
１４ａ    ガイド溝
１４ｂ    ガイド部材
１５    ガイド機構
１５ａ    ガイド溝
１５ｂ    ガイド部材
１６    回転機構
１６ａ    回転軸
１７    保持機構
１７ａ    ピン部
１７ｂ    凹部
１８    ストッパ機構
１８ａ    ピン部
１８ｂ    凹部
１９    クラッチ機構
２０    ストッパ機構
【図３】
2013027539.tif 000003
【図５】
2013027539.tif 000004
【図１３】
2013027539.tif 000005
【図１】
2013027539.tif 000006
【図２】
2013027539.tif 000007
【図４】
2013027539.tif 000008
【図６】
2013027539.tif 000009
【図７】
2013027539.tif 000010
【図８】
2013027539.tif 000011
【図９】
2013027539.tif 000012
【図１０】
2013027539.tif 000013
【図１１】
2013027539.tif 000014
【図１２】
2013027539.tif 000015
【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
本体枠組みを形成するフレームと、
前記フレームの前面に取り付けられた前面パネルと、
前記フレーム内に保持された外槽と、
前記外槽内に回転自在に軸支されたドラムと、
前記前面パネルに形成され、前記ドラムと連通する開口部と、
前記前面パネルに対して横方向に回転して前記開口部を開閉するドアとを備えるドラム洗濯機において、
支持面を有する支持部材、前記支持部材を移動自在とする移動機構、および前記支持部材を所定位置で保持する保持機構とを有する支持部と、前記支持部材を前記前面パネル内に収納する収納部とを、前記前面パネルの開口部の下方位置に備え、
前記移動機構は、前記支持部材を前記収納部内と前面パネルの前方位置との間で移動自在とし、
前記保持機構は、前記支持部材が前記収納部内にあるときは当該支持部材を収納部内に保持し、前記支持部材が前記前面パネルの前方位置にあるときは前記支持面を上方に保持し、
前記支持部材は２本の支持アームで構成され、
前記各支持アームは、前記移動機構が備える回転機構によってそれぞれの一方の端部が前記収納部の内部に軸支されることを特徴とする、ドラム洗濯機。